【手続補正書】
【提出日】平成16年7月9日(2004.7.9)
【手続補正１】
【補正対象書類名】特許請求の範囲
【補正対象項目名】全文
【補正方法】変更
【補正の内容】
【特許請求の範囲】
【請求項１】
糖原病（Glycogen Storage Disease）1b型が関連しないクローン病の患者に投与してクローン病を治療するための、免疫刺激量のCD114（顆粒球コロニー刺激因子受容体（G-CSFR））のアゴニストを含む剤。
【請求項２】
糖原病1b型が関連しないクローン病の患者に投与してクローン病を治療するための、免疫刺激量のCD116（顆粒球マクロファージコロニー刺激因子受容体（GM-CSFR））のアゴニストを含む剤。
【請求項３】
慢性肉芽腫症が関連しないクローン病の患者に投与してクローン病を治療するための、免疫刺激量のCD114（顆粒球コロニー刺激因子受容体（G-CSFR））のアゴニストを含む剤。
【請求項４】
慢性肉芽腫症が関連しないクローン病の患者に投与してクローン病を治療するための、免疫刺激量のCD116（顆粒球マクロファージコロニー刺激因子受容体（GM-CSFR））のアゴニストを含む剤。
【請求項５】
遺伝病によって引き起こされる、現在特徴付けられていて同定可能な特定の好中球異常が関連しないクローン病の患者に投与してクローン病を治療するための、免疫刺激量のCD114（顆粒球コロニー刺激因子受容体（G-CSFR））のアゴニストを含む剤。
【請求項６】
遺伝病によって引き起こされる、現在特徴付けられていて同定可能な特定の好中球異常が関連しないクローン病の患者に投与してクローン病を治療するための、免疫刺激量のCD116（顆粒球マクロファージコロニー刺激因子受容体（GM-CSFR））のアゴニストを含む剤。
【請求項７】
嚢炎（pouchitis）の患者に投与して嚢炎を治療するための、免疫刺激量のCD114（顆粒球コロニー刺激因子受容体（G-CSFR））のアゴニストを含む剤。
【請求項８】
嚢炎（pouchitis）の患者に投与して嚢炎を治療するための、免疫刺激量のCD116（顆粒球マクロファージコロニー刺激因子受容体（GM-CSFR））のアゴニストを含む剤。
【請求項９】
以前にフィステルに羅患したクローン病の患者に投与して、それによりフィステル再発のリスクを抑制または減少させるための、免疫刺激量のCD114（顆粒球コロニー刺激因子受容体（G-CSFR））のアゴニストを含む剤。
【請求項１０】
以前にフィステルに羅患したクローン病の患者に投与して、それによりフィステル再発のリスクを抑制または減少させるための、免疫刺激量のCD116（顆粒球マクロファージコロニー刺激因子受容体（GM-CSFR））のアゴニストを含む剤。
【請求項１１】
患者が小腸、大腸、または直腸のうち少なくとも一つの粘膜炎症性疾患を持っていて、含まれるアゴニストの量が粘膜の炎症を減少させるのに十分である、請求項1、請求項2、請求項3、請求項4、請求項5、または請求項6のいずれか一項記載の剤。
【請求項１２】
含まれるアゴニストの量が粘膜疾患の寛解を誘導するのに十分である、請求項11記載の剤。
【請求項１３】
患者が小腸、大腸、または直腸のうち少なくとも一つの上皮損傷を伴っていて、含まれるアゴニストの量が上皮損傷を修復させるために十分である、請求項1、請求項2、請求項3、請求項4、請求項5、または請求項6のいずれか一項記載の剤。
【請求項１４】
含まれるアゴニストの量が患者の症状発現を減少させるために十分である、請求項1、請求項2、請求項3、請求項4、請求項5、または請求項6のいずれか一項記載の剤。
【請求項１５】
患者がフィステルまたは肛門周囲膿瘍に羅患していて、含まれるアゴニストの量がフィステルまたは肛門周囲膿瘍を減少させるために十分である、請求項1、請求項2、請求項3、請求項4、請求項5、または請求項6のいずれか一項記載の剤。
【請求項１６】
患者が寛解期にある、請求項1、請求項2、請求項3、請求項4、請求項5、または請求項6のいずれか一項記載の剤。
【請求項１７】
患者が、胃腸管の羅患部分の外科的治療を受けている、請求項1、請求項2、請求項3、請求項4、請求項5、または請求項6のいずれか一項記載の剤。
【請求項１８】
患者がクローン病の腸管外の症状発現を伴っていて、含まれるアゴニストの量が腸管外の症状発現を減少させるために十分である、請求項1、請求項2、請求項3、請求項4、請求項5、または請求項6のいずれか一項記載の剤。
【請求項１９】
腸管外の症状発現が炎症性の眼病である、請求項18記載の剤。
【請求項２０】
炎症性の眼病が、虹彩炎、ブドウ膜炎、及び上鞏膜炎（episcleritis）からなる群より選択される、請求項19記載の剤。
【請求項２１】
腸管外の症状発現が皮膚疾患である、請求項18記載の剤。
【請求項２２】
皮膚疾患が、壊疽性膿皮症及び結節性紅斑からなる群より選択される、請求項21記載の剤。
【請求項２３】
腸管外の症状発現が肝臓疾患である、請求項18記載の剤。
【請求項２４】
肝臓疾患が原発性硬化性胆管炎である、請求項23記載の剤。
【請求項２５】
腸管外の症状発現が胆管疾患である、請求項18記載の剤。
【請求項２６】
減少された用量の免疫抑制剤をさらに含む、請求項1から請求項10のいずれか一項記載のアゴニストを含む剤。
【請求項２７】
免疫抑制剤が、副腎皮質ステロイド、6-メルカプトプリン、アザチオプリン、及びメトトレキセートからなる群より選択される請求項26記載の剤。
【請求項２８】
腸管外の症状発現が胃の炎症である、請求項18記載の剤。
【請求項２９】
腸管外の症状発現が食道疾患である、請求項18記載の剤。
【請求項３０】
アゴニストがG-CSFである、請求項1、請求項3、請求項5、請求項7、または請求項9のいずれか一項記載の剤。
【請求項３１】
アゴニストがGM-CSFである、請求項2、請求項4、請求項6、請求項8、または請求項10のいずれか一項記載の剤。
【請求項３２】
アゴニストがG-CSFのペプチド模倣物である、請求項1、請求項3、請求項5、請求項7、または請求項9のいずれか一項記載の剤。
【請求項３３】
アゴニストがG-CSFの非ペプチド模倣物である、請求項1、請求項3、請求項5、請求項7、または請求項9のいずれか一項記載の剤。
【請求項３４】
潰瘍性大腸炎の患者に投与して潰瘍性大腸炎を治療するための、免疫刺激量のCD114（顆粒球コロニー刺激因子受容体（G-CSFR））のアゴニストを含む剤。
【請求項３５】
潰瘍性大腸炎の患者に投与して潰瘍性大腸炎を治療するための、免疫刺激量のCD116（顆粒球マクロファージコロニー刺激因子受容体（GM-CSFR））のアゴニストを含む剤。
【請求項３６】
患者が小腸、大腸、または直腸のうち少なくとも一つの粘膜炎症性疾患を持っていて、含まれるアゴニストの量が粘膜の炎症を減少させるために十分である、請求項３４または請求項３５のいずれか一項記載の剤。
【請求項３７】
含まれるアゴニストの量が粘膜疾患の寛解を誘導するために十分である、請求項３４または請求項３５のいずれか一項記載の剤。
【請求項３８】
患者が小腸、大腸、または直腸のうち少なくとも一つの上皮損傷を伴っていて、含まれるアゴニストの量が上皮損傷を修復するために十分である、請求項３４または請求項３５のいずれか一項記載の剤。
【請求項３９】
含まれるアゴニストの量が患者の症状発現を減少させるために十分である、請求項３４または請求項３５のいずれか一項記載の剤。
【請求項４０】
患者が寛解期にある、請求項３４または請求項３５のいずれか一項記載の剤。
【請求項４１】
患者が、胃腸管の羅患部分の外科的治療を受けている、請求項３４または請求項３５のいずれか一項記載の剤。
【請求項４２】
アゴニストがG-CSFである、請求項３４記載の剤。
【請求項４３】
アゴニストがGM-CSFである、請求項３５記載の剤。
【請求項４４】
アゴニストがG-CSFのペプチド模倣物である、請求項３４記載の剤。
【請求項４５】
アゴニストがG-CSFの非ペプチド模倣物である、請求項３４記載の剤。